(57)【要約】【課題】  現在、文具は箱や袋にいれて包装して売る。この包装体を利用し壁面に貼れるようにした包装体の文具入れである。すなわち、消費者が購入した文具の包装体がそのまま壁面には貼れる文具入れになる発明である。【解決手段】１  筆記具やその他の文具等を箱または袋にいれ、該箱または袋に貼る専用の自己粘着スポンジと組み合わせたことを特徴とする壁面に貼れる文具入れ。２  箱または袋にアクリルスポンジのごとく自己粘着スポンジを貼ったことを特徴とする壁面に貼れる箱または袋。３  箱または袋の中に文具を入れ、外にアクリルスポンジのごとく自己粘着スポンジを貼ったことを特徴とする壁面に貼れる文具入れ具の箱または袋。【選択図】  図１
2006110966.tif 000002
【特許請求の範囲】
【請求項１】
筆記具やその他の文具等を箱または袋にいれ、該箱または袋に貼る専用の自己粘着スポンジと組み合わせたことを特徴とする壁面に貼れる文具入れ。
【請求項２】
箱または袋にアクリルスポンジのごとく自己粘着スポンジを貼ったことを特徴とする壁面に貼れる箱または袋。
【請求項３】
箱または袋の中に文具を入れ、外にアクリルスポンジのごとく自己粘着スポンジを貼ったことを特徴とする壁面に貼れる文具入れ具の箱または袋。
【発明の詳細な説明】
【技術分野】
【０００１】  本発明は文具包装に関する。詳しくは購入文具した包装体が自己粘着を利用して壁面に貼れる文具入れにすることに関する。
【背景技術】
【０００２】  筆箱や文具を壁面に取りつけると便利である。従来はネジや押しピンを利用して文具箱などを壁面に取りつけている。【０００３】  近年、粘着成分で発泡したシートが登場した。いわゆる自己粘着シートである。粘着剤そのものを発泡させ粘着剥離を繰り返せるスポンジシートとする。
下記などに示す特許文献等に塩化ビニル系やエポキシ系など多数開発されている。【０００４】  自己粘着スポンジはアクリルスポンジが代表的なものである。粘着保持できるので壁面にテッシュ取付や、メモ貼りなどに利用する。油取り紙の束から１枚１枚取るときの取り具にもなる。アクリルスポンジは挟みで切り取りができる。紙やビニルなどに何回も貼ったり剥がせたりできる。吸盤の代用として自動車のアルミシート日除けを硝子に貼るのにも利用できる。
テッシュボックスを壁面に貼る用具やなど多くの用途が見いだされる。テッシュボックスは約２５０グラムあり、テッシュボックサイズの面積でこの重量を粘着しテッシュを取り出せる。スポンジは何回も粘着剥離を繰り返せるのでテッシュボックスが空になれば交換すればよい。【０００５】  自己粘着スポンジはガラス、金属、セラミック、木材、プラスチック、合成皮革などの平滑な面に接着や粘着剤を使用せずに貼着できるものである。表面が汚れたら水で汚れを洗えば回復する。本発明者は以上の性質を鋭意研究をし多数の用途を見いだした。
アクリルスポンジに粘着テープを貼り、これを毛皮の裏に貼ればブーツやソファやバッグに着脱自由な毛皮になる。
カーテンにに貼れば車両などのガラス貼れるカ−テンになる。壁面にはれば壁面に硬貨を収容できる。壁面全体にはればポケットテッシュ、カード、袋入りサプリメント、物差し、筆記具などを貼着収容できる。
ナンバープレートと同じ寸法のものを本発明者は駐車中などのナンバープレート隠しとして開発した。
ゲ−ム盤にもなる。駒や石は紙やプラスチックなどで作成したものを利用できる。
消しゴムになる板材に自己粘着スポンジシートを両面テープで貼り、切断または型抜きし貼る消しゴムも発明した。
【特許文献１】  特許公聞２００４−２７１２３  貼付用シート状発泡体およびその製造方法  特許公開２０００−４９３５  携帯用鏡  特許公開２００２−３４７３８６  実用新案公開平６−５９８９
【発明の開示】
【発明が解決しようとする課題】
【０００６】  筆記具などを壁面などに貼れればよい。壁面が自己粘着スポンジ体であれば軽小な筆記具であればそのまま貼れる。しかしクリップ部などの突起があるものや、重量物、平滑面の無い素材の筆記具は自己粘着スポンジ体に貼ることができない。そこで大きめの袋や箱を壁面に貼り文具入れにすればよい。【０００７】  現在、文具は箱や袋にいれて包装して売る。この包装体を利用し壁面に貼れるようにした包装体の文具入れである。すなわち、消費者が購入した文具の包装体がそのまま壁面には貼れる文具入れになる発明である。
【課題を解決するための手段】
【０００８】  上記の課題を解決するためには、箱や袋などの接触面積の多い包装体に粘着剥離を繰り返す自己粘着スポンジの小片と文具を入れればよい。
自己粘着スポンジは紙、ガラス、金属、セラミック、木材、プラスチック、合成皮革などの平滑な面に接着や粘着剤を使用せずに貼着できるものである。表面が汚れたら水で拭けばよい。ザラザラ壁面は紙やプラスチックを利用し平滑面にすればよい。【０００９】  本発明の構成は下記のようになる。
１  筆記具やその他の文具等を箱または袋にいれ、該箱または袋に貼る専用の自己粘着スポンジと組み合わせたことを特徴とする壁面に貼れる文具入れ。
２  箱または袋にアクリルスポンジのごとく自己粘着スポンジを貼ったことを特徴とする壁面に貼れる箱または袋。
３  箱または袋の中に文具を入れ、外にアクリルスポンジのごとく自己粘着スポンジを貼ったことを特徴とする壁面に貼れる文具入れ具の箱または袋。
【発明の効果】
【００１０】  消費者は購入した文具包装の袋や箱から自己粘着スポンジのアクリルスポンジを取り出し袋や箱に貼れば壁面に取付ができる。冷蔵庫や机など車内などに移動できる。【００１１】  本屋やノートなどにも貼れ、要らなくなれば剥がせる。粘着や接着剤と異なり後が残らない。押しピンなど不要である。【００１２】  形状の複雑な筆記具や消しゴムなどの小物もまとめて袋や箱に入れればよい。
文具包装の袋や箱がそのまま壁面などに取付できる文具入れになる。もちろん接触面積が多い文具類は直接自己粘着スポンジに貼れる。【００１３】  請求項１記載の効果は以上である。
請求項２および３記載の効果としては自己粘着スポンジ付きの箱および袋を安価に生産できる。自己粘着スポンジはシートで生産される。通常１メートル幅の巻物であり、小片かするには切断または打ち抜きする。自己粘着スポンジシートに箱や袋を貼りこのまま切断すれば壁面に貼れる文具入れ用の箱または袋を得る。これに文具などを入れれば、消費者が貼らなくとも袋や箱に自己粘着スポンジがついている。【００１４】  箱または袋が複数あるシート化であれば、自己粘着スポンジシートと貼り合わせ切断して自己粘着スポンジ付き箱または袋を得ることができる。
当該スポンジを細長くし、これを切断し順次貼る機械装置もできる。
【発明を実施するとめの最良の形態】
【００１５】  ０・５〜３ミリ厚さのアクリルスポンジがよい。この自己粘着スポンジを文具を包装している袋のサイズに合わせて切断する。幅１センチ長さ１４センチの筆記具なら１４センチ平方の自己粘着スポンジでよい。重い材質の筆記具ではこれ以上にする。
【実施例１】
【００１６】高さ２２センチ幅４・５センチのＰＰ製袋に、３センチ１０センチの自己粘着アクリルスポンジ小片と長さ１５センチのボールペンを入れる。【００１７】  これを図１および図２で説明する。、
図１は使用例である。商品を入れた袋４にアクリルスポンジ１を壁面６に貼る。
筆記具５は袋４からの開け口から取り出せる。袋ごと剥がすこともできる。
図２は袋４に入れた状態にアクリルスポンジ１を示す。両面には剥離フイルム２と剥離フイルム３がある。使用時には剥離フイルムを剥がし袋４を壁面６に貼る。
【実施例２】
【００１８】  高さ２２センチ幅４・５センチのＰＰ製袋に３センチ１０センチの自己粘着アクリルスポンジ小片を貼り当該ＰＰ製袋内に長さ１５センチのボールペンを入れる。
これを図３で説明すると袋４にあらかじめアクリルスポンジ１が貼ってあり、使用時には剥離フイルム２を剥がし図１のようにする。この袋を文具とともに包装してもよい。もちろんスポンジ付き袋はスポンジ付き箱にもできる。
【産業上の利用可能性】
【００１９】  本発明は産業上利用できる。文具を造花に代えれば袋や箱が貼れる花瓶になる。
また、壁やビニル製品等の平滑な面に貼れる袋や箱を提供できる。
【図面の簡単な説明】
【００２０】
【図１】・・側面図（実施例１）
【図２】・・側面図（実施例１）
【図３】・・側面図（実施例２）
【符号の説明】
【００２１】  １・・アクリルスポンジ
２・・剥離フイルム
３・・剥離フイルム
４・・袋
５・・筆記具
６・・壁面
【図１】
2006110966.tif 000003
【図２】
2006110966.tif 000004
【図３】
2006110966.tif 000005